(57)【要約】【課題】  対向するクライアント通信装置間にて自動調整が可能であり、且つ複数のポートの通信を１つの伝送路パスに多重化して効率的に転送することを可能とする。【解決手段】  ＧＦＰ−Ｆ（Ｆｒａｍｅ−ｍａｐｐｅｄ  Ｇｅｎｅｒｉｃ  Ｆｒａｍｉｎｇ  Ｐｒｏｃｅｄｕｒｅ）方式を利用した多重化伝送装置であって、ギガビットイーサネット信号（登録商標）を受信した際、ギガビットイーサネット信号に含まれる８Ｂ１０Ｂ符号のコンフィグレーション・オーダセットからオートネゴシエーション情報を抽出するオートネゴシエーション情報処理部と、抽出された前記オートネゴシエーション情報を、ＧＦＰクライアントマネージメントフレームにマッピングするＧＦＰ処理部と、少なくとも前記ＧＦＰクライアントマネージメントフレームを含むＧＦＰフレームを、伝送路フレームにマッピングするフレーマ部と、を備える。【選択図】      図１
2012165334.tif 000002
【特許請求の範囲】
【請求項１】
ＧＦＰ−Ｆ（Ｆｒａｍｅ−ｍａｐｐｅｄ  Ｇｅｎｅｒｉｃ  Ｆｒａｍｉｎｇ  Ｐｒｏｃｅｄｕｒｅ）方式を利用した多重化伝送装置であって、
ギガビットイーサネット信号（登録商標）を受信した際、ギガビットイーサネット信号に含まれる８Ｂ１０Ｂ符号のコンフィグレーション・オーダセットからオートネゴシエーション情報を抽出するオートネゴシエーション情報処理部と、
抽出された前記オートネゴシエーション情報を、ＧＦＰクライアントマネージメントフレームにマッピングするＧＦＰ処理部と、
少なくとも前記ＧＦＰクライアントマネージメントフレームを含むＧＦＰフレームを、伝送路フレームにマッピングするフレーマ部と、
を備えることを特徴とする多重化伝送装置。
【請求項２】
伝送路フレームを受信した際、前記フレーマ部は、伝送路フレームからＧＦＰフレームを抽出し、前記ＧＦＰ処理部は、ＧＦＰクライアントマネージメントフレームにオートネゴシエーション情報が含まれているＧＦＰフレームがある場合、該ＧＦＰクライアントマネージメントフレームから前記オートネゴシエーション情報を抽出し、前記オートネゴシエーション情報処理部は、前記オートネゴシエーション情報を受信し、８Ｂ１０Ｂ符号のコンフィグレーション・オーダセットに変換することを特徴とする請求項１記載の多重化伝送装置。
【請求項３】
前記オートネゴシエーション情報を含む前記ＧＦＰクライアントマネージメントフレームは、ＧＦＰの拡張ヘッダのＵＰＩ（Ｕｓｅｒ  Ｐａｙｌｏａｄ  Ｉｄｅｎｔｉｆｉｅｒ）値で識別されることを特徴とする請求項１または２記載の多重化伝送装置。
【請求項４】
ＧＦＰ−Ｆ方式を利用した多重化伝送方法であって、
ギガビットイーサネット信号を受信した際、ギガビットイーサネット信号に含まれる８Ｂ１０Ｂ符号のコンフィグレーション・オーダセットからオートネゴシエーション情報を抽出し、
抽出された前記オートネゴシエーション情報を、ＧＦＰクライアントマネージメントフレームにマッピングし、
少なくとも前記ＧＦＰクライアントマネージメントフレームを含むＧＦＰフレームを、伝送路フレームにマッピングする
ことを特徴とする多重化伝送方法。
【請求項５】
伝送路フレームを受信した際、伝送路フレームからＧＦＰフレームを抽出し、
ＧＦＰクライアントマネージメントフレームにオートネゴシエーション情報が含まれているＧＦＰフレームがある場合、該ＧＦＰクライアントマネージメントフレームから前記オートネゴシエーション情報を抽出し、
前記オートネゴシエーション情報を受信し、８Ｂ１０Ｂ符号のコンフィグレーション・オーダセットに変換する
ことを特徴とする請求項４記載の多重化伝送方法。
【請求項６】
前記オートネゴシエーション情報を含む前記ＧＦＰクライアントマネージメントフレームは、ＧＦＰの拡張ヘッダのＵＰＩ値で識別されることを特徴とする請求項４または５記載の多重化伝送方法。
【請求項７】
ＧＦＰ−Ｆ方式を利用した多重化伝送装置のコンピュータに、
ギガビットイーサネット信号を受信した際、ギガビットイーサネット信号に含まれる８Ｂ１０Ｂ符号のコンフィグレーション・オーダセットからオートネゴシエーション情報を抽出する処理と、
抽出された前記オートネゴシエーション情報を、ＧＦＰクライアントマネージメントフレームにマッピングする処理と、
少なくとも前記ＧＦＰクライアントマネージメントフレームを含むＧＦＰフレームを、伝送路フレームにマッピングする処理と
を実行させることを特徴とするコンピュータプログラム。
【請求項８】
伝送路フレームを受信した際、前記コンピュータに、伝送路フレームからＧＦＰフレームを抽出する処理と、
ＧＦＰクライアントマネージメントフレームにオートネゴシエーション情報が含まれているＧＦＰフレームがある場合、該ＧＦＰクライアントマネージメントフレームから前記オートネゴシエーション情報を抽出する処理と、
前記オートネゴシエーション情報を受信し、８Ｂ１０Ｂ符号のコンフィグレーション・オーダセットに変換する処理と
を、さらに実行させることを特徴とする請求項７記載のコンピュータプログラム。
【請求項９】
前記オートネゴシエーション情報を含む前記ＧＦＰクライアントマネージメントフレームは、ＧＦＰの拡張ヘッダのＵＰＩ値で識別されることを特徴とする請求項７または８記載のコンピュータプログラム。
【発明の詳細な説明】
【技術分野】
【０００１】
本発明は、多重化伝送装置、多重化伝送方法、およびコンピュータプログラムに関する。
【背景技術】
【０００２】
クライアント通信装置（例えば、ルータ、ブリッジ、あるいはスイッチ）とのインタフェースが、通信速度が１Ｇｂｐｓ（ｂｉｔｓ  ｐｅｒ  ｓｅｃｏｎｄ）のギガビットイーサネット（登録商標）である多重化伝送装置が知られている。この多重化伝送装置における伝送方法（マッピングモード）として、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  ｓｅｃｔｏｒ）  Ｇ．７０４１には、２種類の伝送方法が規定されている。なお、以下、ギガビットイーサネットのことをＧｂＥと呼ぶことにする。
【０００３】
１つ目は、ＧＦＰ−Ｆ（Ｆｒａｍｅ−ｍａｐｐｅｄ  Ｇｅｎｅｒｉｃ  Ｆｒａｍｉｎｇ  Ｐｒｏｃｅｄｕｒｅ）である。図６は、このＧＦＰ−Ｆの一般的な多重化伝送装置を含む通信システムのブロック図を示す。図６に示す多重化伝送装置は、ＧｂＥ信号の８Ｂ１０Ｂ符号を一旦終端し、ＧｂＥ信号からＭＡＣ（Ｍｅｄｉａ  Ａｃｃｅｓｓ  Ｃｏｎｔｒｏｌ  ａｄｄｒｅｓｓ）フレームのみを取り出す。該多重化伝送装置は、ＭＡＣフレームに、ＧＦＰヘッダおよびＦＣＳ（Ｆｒａｍｅ  Ｃｈｅｃｋ  Ｓｅｑｕｅｎｃｅ）を付加してカプセル化し、これをＳＯＮＥＴ（Ｓｙｎｃｈｒｏｎｏｕｓ  Ｏｐｔｉｃａｌ  ＮＥＴｗｏｒｋ）／ＳＤＨ（Ｓｙｎｃｈｒｏｎｏｕｓ  Ｄｉｇｉｔａｌ  Ｈｉｅｒａｒｃｈｙ）信号のペイロードへマッピングして多重する。
【０００４】
２つ目は、ＧＦＰ−Ｔ（Ｔｒａｎｓｐａｒｅｎｔ  Ｇｅｎｅｒｉｃ  Ｆｒａｍｉｎｇ  Ｐｒｏｃｅｄｕｒｅ）である。図７は、このＧＦＰ−Ｔの一般的な多重化伝送装置を含む通信システムのブロック図を示す。ＧＦＰ−Ｔは、８Ｂ１０Ｂ符号で定義されるオーダセットなどの符号を透過させる目的を有する。図７に示す多重化伝送装置は、ＧｂＥ信号の８Ｂ１０Ｂ符号を終端せず８符号語（６４ビット相当）単位に６５ビットデータへ符号化（６４Ｂ６５Ｂ符号化）し、８つの６４Ｂ６５Ｂ符号でＳｕｐｅｒｂｌｏｃｋを生成する。該多重化伝送装置は、複数個のＳｕｐｅｒｂｌｏｃｋをＧＦＰペイロード情報とし、これに、ＧＦＰヘッダおよびＦＣＳを付加してカプセル化して、ＧｂＥ信号単位に確保されたＳＯＮＥＴ／ＳＤＨ信号のペイロードへマッピングする。
【０００５】
特許文献１は、８Ｂ１０Ｂ復号処理により削除していたオートネゴシエーション情報を中継し、対向する端末間で、通信速度認識やフロー制御や全二重・半二重通信の動作モードの自動設定等のオートネゴシエーションを可能にする伝送装置について記載する。
【０００６】
特許文献２は、オートネゴシエーションのコンフィグレーションコードを監視し、一定時間の間に一定数以上のオートネゴシエーションのコンフィギュレーションコードが送信されたことを検知した場合に、スイッチ３、４間のオートネゴシエーションシーケンスがデッドロック状態に陥っていると判断し、そのことを対向の中継伝送装置に通知する中継伝送装置について記載する。
【先行技術文献】
【特許文献】
【０００７】
【特許文献１】特開２００４−３５７１６４号公報
【特許文献２】特開２００５−１１００６８号公報
【発明の概要】
【発明が解決しようとする課題】
【０００８】
上述したとおり、ＧＦＰ−Ｆの場合、ＧｂＥ信号を受信したところで８Ｂ１０Ｂ符号が一旦終端されるので、８Ｂ１０Ｂ符号のコンフィグレーション・オーダセットを利用するオートネゴシエーション情報を、多重化伝送装置を介して対向するクライアント通信装置間で通信することはできない。オートネゴシエーションは、多重化伝送装置間を介して対向するクライアント通信装置間で、通信速度認識、フロー制御、および全二重・半二重通信モード等を最適にするための自動調整機能である。
【０００９】
一方、ＧＦＰ−Ｔの場合、オートネゴシエーションは可能になるものの、それぞれのＧｂＥ信号毎に伝送路上に専用のパスを設定する必要があり、複数のＧｂＥ信号で伝送路上のパスを共有することはできない、換言すれば帯域を有効に活用することができないという問題を有する。
【００１０】
また、特許文献１および特許文献２に記載された技術では、複数のポートの通信を１つの伝送路パスに多重しつつ且つクライアント通信装置間での自動調整を行うことはできない。
【００１１】
本発明は、上記課題を解決するためになされたものであり、対向するクライアント通信装置間にて自動調整が可能であり、且つ複数のポートの通信を１つの伝送路パスに多重化して効率的に転送することが可能な多重化伝送装置、多重化伝送方法、およびコンピュータプログラムを提供することを目的とする。
【課題を解決するための手段】
【００１２】
本発明の多重化伝送装置は、ＧＦＰ−Ｆ（Ｆｒａｍｅ−ｍａｐｐｅｄ  Ｇｅｎｅｒｉｃ  Ｆｒａｍｉｎｇ  Ｐｒｏｃｅｄｕｒｅ）方式を利用した多重化伝送装置であって、ギガビットイーサネット信号（登録商標）を受信した際、ギガビットイーサネット信号に含まれる８Ｂ１０Ｂ符号のコンフィグレーション・オーダセットからオートネゴシエーション情報を抽出するオートネゴシエーション情報処理部と、抽出された前記オートネゴシエーション情報を、ＧＦＰクライアントマネージメントフレームにマッピングするＧＦＰ処理部と、少なくとも前記ＧＦＰクライアントマネージメントフレームを含むＧＦＰフレームを、伝送路フレームにマッピングするフレーマ部と、を備える。
【００１３】
本発明の多重化伝送方法は、ＧＦＰ−Ｆ方式を利用した多重化伝送方法であって、ギガビットイーサネット信号を受信した際、ギガビットイーサネット信号に含まれる８Ｂ１０Ｂ符号のコンフィグレーション・オーダセットからオートネゴシエーション情報を抽出し、抽出された前記オートネゴシエーション情報を、ＧＦＰクライアントマネージメントフレームにマッピングし、少なくとも前記ＧＦＰクライアントマネージメントフレームを含むＧＦＰフレームを、伝送路フレームにマッピングする。
【００１４】
本発明のコンピュータプログラムは、ＧＦＰ−Ｆ方式を利用した多重化伝送装置のコンピュータに、ギガビットイーサネット信号を受信した際、クライアント通信装置から受信するギガビットイーサネット信号に含まれる８Ｂ１０Ｂ符号のコンフィグレーション・オーダセットからオートネゴシエーション情報を抽出する処理と、抽出された前記オートネゴシエーション情報を、ＧＦＰクライアントマネージメントフレームにマッピングする処理と、少なくとも前記ＧＦＰクライアントマネージメントフレームを含むＧＦＰフレームを、伝送路フレームにマッピングする処理と、を実行させる。
【発明の効果】
【００１５】
本発明によれば、対向するクライアント通信装置間にて自動調整が可能であり、且つ複数のポートの通信を１つの伝送路パスに多重化して効率的に転送することが可能となる。
【図面の簡単な説明】
【００１６】
【図１】本発明の第１の実施形態に係る多重化伝送装置を含む通信システムの構成例を示すブロック図である。
【図２】図１に示す多重化伝送装置の送信動作の一例を示すフローチャートである。
【図３】図１に示す対向多重化伝送装置の受信動作の一例を示すフローチャートである。
【図４Ａ】ＭＡＣフレームおよびＧＦＰフレーム各々のフォーマット図を示す。
【図４Ｂ】ＭＡＣフレームおよびＧＦＰフレーム各々のフォーマット図を示す。
【図４Ｃ】ＧＦＰフレームのフォーマット図を示す。
【図５】本発明の第２の実施形態に係る多重化伝送装置の構成例を示すブロック図である。
【図６】ＧＦＰ−Ｆの一般的な多重化伝送装置を含む通信システムのブロック図を示す。
【図７】ＧＦＰ−Ｔの一般的な多重化伝送装置を含む通信システムのブロック図を示す。
【発明を実施するための形態】
【００１７】
［第１の実施形態］
図１は、本発明の第１の実施形態に係る多重化伝送装置１を含む通信システムのブロック図を示す。
【００１８】
該通信システムは、基本的には、多重化伝送装置１と、伝送路（例えば、光ファイバ）を介して多重化伝送装置１と対向する多重化伝送装置１’（以下、対向多重化伝送装置１’と呼ぶ）と、を備える。多重化伝送装置１と対向多重化伝送装置１’とは同一の構成であるものとする。
【００１９】
また、多重化伝送装置１には、ギガビットイーサネット伝送を可能とする伝送媒体を介して複数のクライアント通信装置２０−１〜２０−ｎが接続される。一方、対向多重化伝送装置１’にも、上記と同様の伝送媒体を介して複数のクライアント通信装置２０’−１〜２０’−ｎが接続される。
【００２０】
上記伝送媒体の例として、例えば、ＩＥＥＥ８０２．３ｚで規定される１０００ＢＡＳＥ−ＳＸ、１０００ＢＡＳＥ−ＬＸ、１０００ＢＡＳＥ−ＣＸや、ＩＥＥＥ８０２．３ａｂで規定されるＵＴＰケーブルを使う１０００ＢＡＳＥ−Ｔを挙げることができる。上記において、ＩＥＥＥは、Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓの略である。なお、以下の説明では、伝送媒体が１０００ＢＡＳＥ−ＳＸである場合を例に挙げて説明する。
【００２１】
多重化伝送装置１は、フレーマ部１０と、ＧＦＰ処理部１１と、ＭＡＣ処理部１２−１〜１２−ｎと、ＰＣＳ１３−１〜１３−ｎと、ＰＭＡ１４−１〜１４−ｎと、ＰＭＤ１５−１〜１５−ｎと、ＡＮ回路１６−１〜１６−ｎ（オートネゴシエーション情報処理部）と、を備える。上記各構成のうち、ＭＡＣ処理部１２−１〜１２−ｎと、ＰＣＳ１３−１〜１３−ｎと、ＰＭＡ１４−１〜１４−ｎと、ＰＭＤ１５−１〜１５−ｎと、ＡＮ回路１６−１〜１６−ｎとは、クライアント通信装置２０−１〜２０−ｎ毎に設けられる。なお、上記において、ＰＣＳは、Ｐｈｙｓｉｃａｌ  Ｃｏｄｉｎｇ  Ｓｕｂｌａｙｅｒの略である。ＰＭＡは、Ｐｈｙｓｉｃａｌ  Ｍｅｄｉｕｍ  Ａｔｔａｃｈｍｅｎｔの略である。ＰＭＤは、Ｐｈｙｓｉｃａｌ  Ｍｅｄｉｕｍ  Ｄｅｐｅｎｄｅｎｔの略である。ＡＮは、Ａｕｔｏｍａｔｉｃ  Ｎｅｇｏｔｉａｔｉｏｎの略である。また、クライアント通信装置２０−１〜２０−ｎは、多重化伝送装置１のクライアントインタフェースに接続されるルータやＬ２スイッチ等の通信装置である。
【００２２】
フレーマ部１０は、ＧＦＰ処理部１１から受信したＧＦＰフレームを、ＳＯＮＥＴ、ＳＤＨ、ＯＴＮ（Ｏｐｔｉｃａｌ  Ｔｒａｎｓｐｏｒｔ  Ｎｅｔｗｏｒｋ）等の伝送路フレームのペイロードにマッピングして対向多重化伝送装置１’へ送信する。また、フレーマ部１０は、対向多重化伝送装置１’から受信した伝送路フレームのペイロードからＧＦＰフレームをデマッピングし、ＧＦＰ処理部１１へ出力する。
【００２３】
ＧＦＰ処理部１１は、ＭＡＣ処理部１２−１〜１２−ｎから受信したＭＡＣフレームをＧＦＰデータフレームにフレーム化するとともに、ＡＮ情報用通信路２５を介してＡＮ回路１６−１〜１６−ｎから入力したオートネゴシエーション情報を、ＧＦＰクライアントマネージメントフレームにフレーム化する。そして、ＧＦＰ処理部１１は、複数のクライアント通信装置２０−１〜２０−ｎ（クライアントポートとも言う）のＧＦＰフレームを多重化してフレーマ部１０へ出力する。また、ＧＦＰ処理部１１は、フレーマ部１０から入力したＧＦＰフレームの宛先クライアントポートを識別し、ＧＦＰデータフレームからＭＡＣフレームを抽出し、該ＭＡＣフレームを宛先クライアントポートのＭＡＣ処理部１２−１〜１２−ｎへ出力する。ＧＦＰクライアントマネージメントフレームにオートネゴシエーション情報が入っている場合、ＧＦＰ処理部１１は、オートネゴシエーション情報を抽出し、これを該当するクライアントポートのＡＮ回路１６−１〜１６−ｎへ出力する。
【００２４】
ＭＡＣ処理部１２−１〜１２−ｎは、ＭＡＣフレームの送信処理及び受信処理を行う。
【００２５】
ＰＣＳ１３−１〜１３−ｎは、ＰＭＡ１４−１〜１４−ｎから受信したデータを８Ｂ１０Ｂ復号し、ＭＡＣフレームまたはオートネゴシエーション情報を検出する。また、ＰＣＳ１３−１〜１３−ｎは、送信ＭＡＣフレームまたはオートネゴシエーション情報を８Ｂ１０Ｂ符号化しＰＭＡ１４−１〜１４−ｎへ出力する。
【００２６】
ＰＭＡ１４−１〜１４−ｎは、各クライントポートから受信したデータであるシリアルデータを１０ビットパラレルデータに変換する。また、ＰＭＡ１４−１〜１４−ｎは、各クライアントポートへ送信するデータである１０ビットパラレルデータをシリアルデータに変換する。
【００２７】
ＰＭＤ１５−１〜１５−ｎは、各クライアントポートから受信した光信号を電気信号に変換するとともに、各クライアントポートへ送信する電気信号を光信号に変換する。
【００２８】
ＡＮ回路１６−１〜１６−ｎは、ＰＣＳ１３−１〜１３−ｎの一機能ブロックである。ＡＮ回路１６−１〜１６−ｎは、各受信データ（各ＰＭＡ１４−１〜１４−ｎから入力したデータ）からオートネゴシエーション情報を抽出し、ＡＮ情報用通信路２５を介してＧＦＰ処理部１１へ通知する。また、ＡＮ回路１６−１〜１６−ｎは、ＧＦＰ処理部１１から通知されるオートネゴシエーション情報を８Ｂ１０Ｂ符号に変換して、ＰＭＡ１４−１〜１４−ｎへ出力する。
【００２９】
以上、多重化伝送装置１の構成について説明したが、上述したように、対向多重化伝送装置１’の構成は多重化伝送装置１と同一である。従って、図１において、対向多重化伝送装置１’の各構成に多重化伝送装置１の構成と同一の符号を付し、それらの説明は省略する。
【００３０】
以下に、図１に示す通信システムの動作について説明する。
【００３１】
図２は、多重化伝送装置１の送信動作（各クライアントポートから受信したＧｂＥ信号を最終的に多重化された伝送路フレームとして、対向多重化伝送装置１’へ送信する動作）の一例を示すフローチャートである。なお、以下の説明では、クライアント通信端末２０−１から受信したＧｂＥ信号を処理する場合を例に挙げる。
【００３２】
多重化伝送装置１において、クライアント通信装置２０−１からのＧｂＥ信号は、ＰＭＤ１５−１において光信号から電気信号に変換される。ＰＭＡ１４−１は、電気信号をシリアル信号からパラレル信号へ変換する。ＰＣＳ１３−１は、パラレル信号に対して８Ｂ１０Ｂ復号処理を実行する（ステップＳ１）。
【００３３】
ＰＣＳ１３−１によって検出されたＭＡＣフレームは、ＭＡＣ処理部１２−１へ出力される。ＭＡＣ処理部１２−１は、ＭＡＣ受信処理（ステップＳ２）を行い、処理済のＭＡＣフレームをＧＦＰ処理部１１へ出力する。
【００３４】
ＧＦＰ処理部１１は、ＭＡＣフレーム（図４Ａ（１）参照）のＤＡからＦＣＳまでを、ＧＦＰデータフレームにフレーム化する（図４Ａ（２）または図４Ａ（３）参照）（ステップＳ３）。
【００３５】
オートネゴシエーション情報が含まれる８Ｂ１０Ｂ符号のコンフィグレーション・オーダセット（／Ｃ１／または／Ｃ２／）が検出された場合、ＰＣＳ１３−１を構成するＡＮ回路１６−１は、／Ｃ１／または／Ｃ２／のデータ部分２バイトデータ（／Ｄａ．ｂ／および／Ｄｃ．ｄ／）を、ＧＦＰ処理部１１へオートネゴシエーション情報として通知する（ステップＳ４）。
【００３６】
ＧＦＰ処理部１１は、／Ｃ１／または／Ｃ２／の／Ｄａ．ｂ／および／Ｄｃ．ｄ／（図４Ｂ（１）参照）を、ＧＦＰクライアントマネージメントフレームのペイロードにマッピングする（図４Ｂ（２）または図４Ｂ（３）参照／ステップＳ５）。
【００３７】
コンフィグレーション・オーダセットの終了時には、ＧＦＰ処理部１１は、ＧＦＰクライアントマネージメントフレームのペイロードヘッダのみのフレームを生成する（図４Ｃ（１）または図４Ｃ（２）参照）ことによりオートネゴシエーションの終了を通知してもよい。８Ｂ１０Ｂのコンフィグレーション・オーダセットは、オートネゴシエーションが動作している間、連続して交互に／Ｃ１／と／Ｃ２／により入力される。従って、伝送路上の必要な帯域を削減するために、ＧＦＰクライアントマネージメントフレームは、オートネゴシエーション情報の変化時のみに生成されてもよく、あるいは、所定の時間間隔で周期的に生成されてもよい。
【００３８】
図４Ｂ（２）または図４Ｂ（３）ではオートネゴシエーション情報が含まれたクライアントマネージメントフレームであることを識別するために、ＵＰＩ（Ｕｓｅｒ  Ｐａｙｌｏａｄ  Ｉｄｅｎｔｉｆｉｅｒ）に独自仕様のために予約されている範囲内の“１１１０  ００００”を使用した例を示している。
【００３９】
一つの伝送パスを複数ポートで共有する場合、図４Ａ（３）または図４Ｂ（３）のフォーマットでＧＦＰフレーム化し、ＣＩＤ（Ｃｈａｎｎｅｌ  Ｉｄｅｎｔｉｆｉｃａｔｉｏｎ）にポートを識別する番号を設定する。
【００４０】
一つの伝送パスを複数ポートで共有しない（ポート毎に固有の伝送パスを割り当てる）場合、図４Ａ（２）または図４Ｂ（２）のフォーマットでＧＦＰフレーム化する。
【００４１】
ＧＦＰ処理部１１は、複数クライアントポート分のＧＦＰデータフレームおよびＧＦＰクライアントマネージメントフレームを多重化するとともに空き帯域にはＧＦＰアイドルフレームを多重化してＧＦＰのスクランブル処理を行い、ＧＦＰフレームをフレーマ部１０へ出力する（ステップＳ６）。フレーマ部１０は、伝送路フレームのペイロードにＧＦＰフレームをマッピングして対向多重化伝送装置１’へ送信する（ステップＳ７）。
【００４２】
図３は、対向多重化伝送装置１’の受信動作（多重化伝送装置１から受信した伝送路フレームから各クライアントポートへのＧｂＥ信号を生成するまでの動作）の一例を示すフローチャートである。なお、以下の説明では、対向多重化伝送装置１’に接続されるクライアント通信端末２０’−１へＧｂＥ信号を送信する場合を例に挙げる。
【００４３】
対向多重化伝送装置１’において、フレーマ部１０は、伝送路フレームのペイロードからＧＦＰフレームを抽出する（ステップＳ１０）。フレーマ部１０は、抽出したＧＦＰフレームを、ＧＦＰ処理部１１へ出力する。ＧＦＰ処理部１１は、ＧＦＰフレーム同期、デスクランブル処理を行う。
【００４４】
ＧＦＰデータフレームが検出された場合、ＧＦＰ処理部１１は、ＭＡＣフレームを抽出する。ＧＦＰ処理部１１は、ＣＩＤにより宛先クライアントポートを識別し、該ＭＡＣフレームを、該当するクライアントポートのＭＡＣ処理部１２−１へ出力する（ステップＳ１１）。
【００４５】
一方、ＧＦＰクライアントマネージメントフレームにオートネゴシエーション情報が含まれているＧＦＰフレームであった場合、ＧＦＰ処理部１１は、ペイロードから２バイトのオートネゴシエーション情報を抽出する。ＧＦＰ処理部１１は、ＣＩＤにより出力先クライアントポートを識別し、抽出したオートネゴシエーション情報を、該当するクライアントポートのＡＮ回路１６−１へ出力する（ステップＳ１２）。
【００４６】
オートネゴシエーション情報を含むＧＦＰクライアントマネージメントフレームは、上述したとおり、所定の時間間隔で周期的に送信されるか、あるいはオートネゴシエーション情報の変化時に送信される。従って、受信側のＧＦＰ処理部１１は、現在のオートネゴシエーション情報を、ＧＦＰクライアントマネージメントフレームの次の受信タイミングまで、あるいはペイロードヘッダのみのＧＦＰクライアントマネージメントフレームを検出するまで保持し、受信終了となったことをＡＮ回路１６−１に通知する。
【００４７】
ＭＡＣ処理部１２−１は、ＭＡＣフレームの送信処理を行う（ステップＳ１３）。ＰＣＳ１３−１は、ＭＡＣフレームを８Ｂ１０Ｂ符号化する（ステップＳ１４）。
【００４８】
ＡＮ回路１６−１は、オートネゴシエーション情報を８Ｂ１０Ｂ符号のコンフィグレーション・オーダセット（／Ｃ１／または／Ｃ２／）に変換する（ステップＳ１５）。
【００４９】
ＭＡＣフレームおよび／またはオートネゴシエーション情報を含む８Ｂ１０Ｂ符号は、ＰＭＡ１４−１においてパラレル信号からシリアル信号へ変換される。シリアル信号は、ＰＭＤ１５−１にて光信号に変換され、ＧｂＥ信号としてクライアント通信装置２０−１へ送信される（ステップＳ１６）。
【００５０】
以上説明した第１の実施形態は、ＧＦＰ−Ｆを使用した多重化伝送装置において、ＧＦＰクライアントマネージメントフレームを使用して対向するクライアント通信装置間でオートネゴシエーション情報をやり取りする。従って、上記対向するクライアント通信装置間で、通信速度認識、フロー制御、あるいは通信モード等の自動調整を行うことが可能となる。
【００５１】
さらに、第１の実施形態の場合、ＧＦＰ−Ｆを使用した多重化伝送装置においてオートネゴシエーション情報を転送することができるので、ＧＦＰ−Ｔと異なり、オートネゴシエーション情報のような制御信号を含め複数のクライアントポートの通信を１つの伝送路パスに多重化して効率的に転送できるという効果もある。
【００５２】
以上を纏めると、第１の実施形態によれば、対向するクライアント通信装置間にて自動調整が可能であり、且つ複数のポートの通信を１つの伝送路パスに多重化して効率的に転送することが可能となる。
【００５３】
なお、以上の説明では、送信処理を実行する例として多重化伝送装置１を挙げたが、対向多重化伝送装置１’も同様の送信処理を実行することが可能である。また、受信処理を実行する例として対向多重化伝送装置１’を挙げたが、多重化伝送装置１も同様の受信処理を実行することが可能である。
【００５４】
［第２の実施形態］
図５は、本発明の第２の実施形態に係る多重化伝送装置３０の構成例を示すブロック図である。多重化伝送装置３０は、ＧＦＰ−Ｆ方式を利用した多重化伝送装置である。多重化伝送装置３０は、ＡＮ回路３２（オートネゴシエーション情報処理部）と、ＧＦＰ処理部３４と、フレーマ部３６と、を備える。
【００５５】
ＡＮ回路３２は、クライアント通信装置４０から受信するギガビットイーサネット信号に含まれる８Ｂ１０Ｂ符号のコンフィグレーション・オーダセットからオートネゴシエーション情報を抽出する。
【００５６】
ＧＦＰ処理部３４は、抽出されたオートネゴシエーション情報を、ＧＦＰクライアントマネージメントフレームにマッピングする。
【００５７】
フレーマ部３６は、少なくともＧＦＰクライアントマネージメントフレームを含むＧＦＰフレームを、伝送路４２のフレームにマッピングして対向多重化伝送装置４４へ送信する。
【００５８】
以上説明した第２の実施形態は、ＧＦＰ−Ｆを使用した多重化伝送装置において、ＧＦＰクライアントマネージメントフレームを使用して対向するクライアント通信装置間でオートネゴシエーション情報をやり取りする。従って、上記対向するクライアント通信装置間で、通信速度認識、フロー制御、あるいは通信モード等の自動調整を行うことが可能となる。
【００５９】
さらに、第２の実施形態の場合、ＧＦＰ−Ｆを使用した多重化伝送装置においてオートネゴシエーション情報を転送することができるので、ＧＦＰ−Ｔと異なり、オートネゴシエーション情報のような制御信号を含め複数のクライアントポートの通信を１つの伝送路パスに多重化して効率的に転送できるという効果もある。
【００６０】
以上を纏めると、第２の実施形態によれば、対向するクライアント通信装置間にて自動調整が可能であり、且つ複数のポートの通信を１つの伝送路パスに多重化して効率的に転送することが可能となる。
【００６１】
なお、以上説明した第１および第２の実施形態は、所定のハードウェア、例えば、回路として具現化することもできる。
【００６２】
また、以上説明した第１および第２の実施形態は、制御プログラムに基づいて図示しないコンピュータ回路（例えば、ＣＰＵ（Ｃｅｎｔｒａｌ  Ｐｒｏｃｅｓｓｉｎｇ  Ｕｎｉｔ））によって制御され、動作するようにすることができる。その場合、これらの制御プログラムは、例えば、多重化伝送装置の内部の記憶媒体、あるいは、外部の記憶媒体に記憶され、上記コンピュータ回路によって読み出され実行される。内部の記憶媒体としては、例えば、ＲＯＭ（Ｒｅａｄ  Ｏｎｌｙ  Ｍｅｍｏｒｙ）やハードディスク等を挙げることができる。また、外部の記憶媒体としては、例えば、リムーバブルメディアやリムーバブルディスク等を挙げることができる。
【符号の説明】
【００６３】
１、３０    多重化伝送装置
１’、４４    対向多重化伝送装置
１０、３６    フレーマ部
１１、３４    ＧＦＰ処理部
１２−１〜１２−ｎ    ＭＡＣ処理部
１３−１〜１３−ｎ    ＰＣＳ
１４−１〜１４−ｎ    ＰＭＡ
１５−１〜１５−ｎ    ＰＭＤ
１６−１〜１６−ｎ、３２    ＡＮ回路
２０−１〜２０−ｎ、２０’−１〜２０’−ｎ    クライアント通信装置
２５    ＡＮ情報用通信路
４２    伝送路
【図１】
2012165334.tif 000003
【図２】
2012165334.tif 000004
【図３】
2012165334.tif 000005
【図４Ａ】
2012165334.tif 000006
【図４Ｂ】
2012165334.tif 000007
【図４Ｃ】
2012165334.tif 000008
【図５】
2012165334.tif 000009
【図６】
2012165334.tif 000010
【図７】
2012165334.tif 000011